(57)【要約】      （修正有）【課題】水洗式便器のブラッシング洗浄機構を提供する。【解決手段】水洗便器の水槽２１に接続される水道管４を通る補給水により駆動されるタービン１、タービンにより駆動されるブラッシング洗浄機構を具え、水槽の補給水用水道管に接続されて駆動されるタービン１より伝動機構３６を介してクラウン歯車３５、平歯車３４を駆動し、平歯車を固定したロッド３７先端のブラシ３８を回転駆動可能とし、タービン上方で水道管４に接続された配管３２に水圧ピストン機構３１を接続し、ピストン機構によりブラシを設けたロッド３７を退避位置まで傾動可能とし、水槽中の水位が低下してフロート４１が下降した位置で水道管を開放して水槽に補給水が流入してタービンを駆動し、水位が低下するとフロートにより水道管が閉塞されて水圧が働き、水圧ピストン機構によってロッドが押圧傾動されてブラシは退避位置に至る。【選択図】図１
0003192730.tif 000002
【実用新案登録請求の範囲】
【請求項１】
水洗便器の水槽に接続される水道管を通る水流により駆動されるタービン、及び該タービンにより駆動されるブラシを設けた伝動機構を具え、
該伝動機構は、上記水道管に接続されて駆動されるタービンよりギアユニット、該ギアユニットの回転を伝える伝動ケーブルを介してクラウン歯車、該クラウン歯車に噛合する平歯車、該平歯車を具えたロッドを回転駆動可能とし、該ロッドはその端部にブラシを設けると共にブラシを回転して洗浄する垂直位置から上昇した位置まで傾動可能に枢着され、
上記水道管には水圧ピストン機構に接続する管体を接続して、該水道管内の水圧により上記ロッドを駆動して上昇位置に傾動可能とし、
上記便器の水洗時に水槽内に流入する水流によって上記タービンを駆動してブラシを回転駆動し、該水槽への水の補給停止時の水圧のもとでの上記水圧ピストン機構によるロッド傾動動作により、ブラシを上記位置に傾動させる、水力便器ブラッシング構造。
【請求項２】
前記水圧ピストン機構の管体は、タービン上方の水道管に接続した請求項１に記載の水力便器ブラッシング構造。
【考案の詳細な説明】
【技術分野】
【０００１】
本考案は、水力便器ブラッシング構造に関し、便器で水を流す時、水力によりブラシに回転を発生させ、便器に対する洗浄を行う垂直便器ブラッシング構造に関する。
【背景技術】
【０００２】
一般の便器の使用後、使用者は、即座に水を流し、一定時間後にブラッシング洗浄しなければ、汚垢を発生する。しかし、毎回用を足した時にブラシで洗浄することは、面倒であるだけでなく通常使用者が必ずしも厳守して行うとは限らず、特に、公共場所の共用のトイレは、使用頻度が多なく、汚れの程度も相対して比較的高い。
しかしながら、現在、便器で水を流した後に適切なブラッシング洗浄を行うことができる如何なる製品もなく、現代の衛生設備の難点となっている。出願人は、これに鑑みて、絶え間ない研究、実験を経て、便器の使用後に水力により便器に対する洗浄を行う水力便器ブラッシング構造を改良している。
【先行技術文献】
【特許文献】
【０００３】
【特許文献１】特開２００８−５７２１８号公報
【考案の概要】
【考案が解決しようとする課題】
【０００４】
本考案の目的は、便器の使用後に水を流す時に水力によりブラシを回転させ、便器に対する洗浄を行う便器ブラッシング構造を提供することにある。
【課題を解決するための手段】
【０００５】
前記水力便器ブラッシング構造は、便器水槽水道管に接続させるタービンと、便器に設ける伝動機構と、を具える。そのうち、該タービンは、ギアユニットを噛み合わせ、該伝動機構は、水圧ピストン機構を設け、水圧ピストン機構を管体により便器の水道管に接続させ、該水圧ピストン機構は、ブレーキ部材に枢着し、該レギュレータにクラウン歯車に噛合する平歯車を設け、クラウン歯車を伝動ケーブルによりギアユニットに接続させ、平歯車は、ロッドを設け、ロッド底端にブラシを設ける。便器に水を流す時、水流によりタービンを回転させ、クラウン歯車を連動し、ブラシに回転を発生させ、便器に対する洗浄を行い、便器水槽が給水を停止する時、水圧ピストン機構が水圧の増加により、平歯車をクラウン歯車から離脱させ、ブラシを上向きに上昇させる。
【０００６】
前記水力便器ブラッシング構造の伝動機構は、便器ボディに取り付けられる。
【考案の効果】
【０００７】
本考案は、水道管に設けるタービン、及び便器に設ける伝動機構を伝動機構に設けるブラシと合わせ、水力便器ブラッシング構造を構成する。便器使用後に水を流す時、水力によりブラシに回転を発生させ、便器に対する洗浄を行うので、別途動力源の補助を必要とせず、環境保護の要求に適合する。
【図面の簡単な説明】
【０００８】
【図１】本考案の構造図である。
【図２】本考案を便器に設置した斜視図である。
【図３】本考案のブラッシング洗浄動作の状態図である。
【図４】本考案のブラシが静止した動作状態図である。
【考案を実施するための形態】
【０００９】
図１及び図２は、本考案の構造図及び便器に設置した斜視図である。
これらの図に示すように、本考案は、タービン１、及び便器２に設ける伝動機構３を具える。該タービン１は、便器２の水槽２１の水道管４（水槽２１の水道管４に供給され、その末端は、一般の水槽２１のフロートスイッチ４１（実際の構造は水槽２１内の水面に位置する。）であり、水槽スイッチ２２をオンにして水を流させた後、水の高さに従って入水及び停止を制御する）に接続させ、該タービン１は、ギアユニット１１を噛み合わせる。該伝動機構３は、水圧ピストン機構３１を設け、水圧ピストン機構３１を管体３２により水管４に接続させ（タービン１上方の位置）、該水圧ピストン機構３１は、ブレーキ部材３３に枢着し、該ブレーキ部材３３は、平歯車３４をクラウン歯車３５に噛み合わせ、且つクラウン歯車３５を伝動ケーブル３６によりギアユニット１１に接続させ、平歯車３４にロッド体３７を設け、ロッド体３７底端にブラシ３８を設ける。本実施例において、該伝動機構３は、ボディ５に設けられ、便器に取り付ける。
【００１０】
前記部材の組み合わせにより、水力便器ブラッシング構造を構成する。便器２で水を流す時、水圧ピストン機構３１は、水圧の低減によりブレーキ部材３３に対し作用せず、ブラシ３８に垂直方向を呈させ、水流によりタービン１を回転させ、ギアユニット１１を経由して伝動ケーブルによりクラウン歯車３５を連動し、相対して平歯車３４を連動し、ブラシ３８に回転を発生させ、便器２に対する洗浄を実行し、便器２の水槽２１が入水を停止する時、水圧ピストン機構３１は、水圧の増加により平歯車３４をクラウン歯車３５から離脱させ、ブラシ３８を上向きに起こし、待機させる。
【００１１】
図３は、本考案のブラシ動作状態図であって、図２を組み合わせて参照する。  図に示すように、本考案は、用を足した後、便器２の水槽２１のスイッチ２２を押圧すると、水槽２１の水が迅速に放出されて水槽２１に設けたフロートスイッチ４１が下降し、水道管４のコックを開放して水槽２１に対する補水を行う。この時、水圧ピストン機構３１は、水道管４１内の水圧の低下によって、ブレーキ部材３３に対して押圧作用しないためブラシ３８は垂直方向を呈し、且つ、水道管４を流通する水流の迅速な流れによりタービン１を回転させ、タービン１によりギアユニット１１を連動し、連動の動作は、伝動ケーブル３６を介してクラウン歯車３５に伝動してクラウン歯車３５を回転させ、クラウン歯車３５に噛み合った平歯車３４を回転させ、ブラシ３８がこのようにして同一方向の回転を発生して便器２に対する洗浄を行うことができる。
【００１２】
図４は、本考案のブラシ静止動作状態図であって、図２を併せて参照する。図に示すように、本考案は、便器２で水を流し、且つ水槽２１で補水完了後、水槽２１内の水位がフロートスイッチ４１を上向きに浮上して水槽２１に対する給水を停止させると共に、閉塞された水道管４中で水圧を形成させて水圧ピストン機構３１が水圧の増加によって、ブレーキ部材３３底端を下方に押し下げて平歯車３４をクラウン歯車３５から離脱させ、ブラシを上向きに起こして待機状態を構成し、次回の洗浄動作に備えさせる。
【００１３】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【００１４】
上記のように、本考案は、水道管に設けるタービン、及び便器に設ける伝動機構を伝動機構に設けるブラシと合わせ、水力便器ブラッシング構造を構成する。便器使用後に水を流す時、水力によりブラシに回転を発生させ、便器に対する洗浄を行う。したがって、別途動力源の補助を必要とせず、環境保護の要求に適合する。実用的設計であり、新規性を具備する考案である。
【符号の説明】
【００１５】
１  タービン
１１  ギアユニット
２  便器
２１  水槽
２２  水槽スイッチ
３  伝動機構
３１  水圧ピストン機構
３２  管体
３３  ブレーキ部材
３４  平歯車
３５  クラウン歯車
３６  伝動ケーブル
３７  ロッド
３８  ブラシ
４  水道管
４１  フロートスイッチ
５  ボディ
【図１】
0003192730.tif 000003
【図２】
0003192730.tif 000004
【図３】
0003192730.tif 000005
【図４】
0003192730.tif 000006